(57)【特許請求の範囲】
【請求項１】
電線の端末に設けられる端子金具と、該端子金具を収容する端子収容部を有するコネクタハウジングとを備えるとともに、該コネクタハウジングに形成され、上端を開口させた充填室に充填される充填剤にて防水をするコネクタにおいて、
前記充填室は、前記開口から前記充填材を充填して、内部に収容した前記端子金具の電線接続部と該電線接続部に連続する電気接触部の連続部分とを少なくとも前記充填剤中に浸漬するように形成されており、
前記充填室の前記開口端部に嵌合し且つ前記充填室から引き出される前記電線に係合するホルダーを備え、
該ホルダーには、前記電線に係合する被覆係合部分と、前記電線接触部の延出方向に延び、前記充填室の前記開口を横切る第１のリブと、が一体に形成されており、
前記第１のリブは、延出端部側において前記充填室の底側へ延出して前記連結部分又は前記電線接続部に当接可能な延出部と、該延出部と前記被覆係合部分との間に位置し、前記充填室の底側へ延出する充填材浸漬部分と、が一体に形成されている
ことを特徴とするコネクタ。
【請求項２】
請求項１に記載のコネクタにおいて、
前記ホルダーは、前記第１のリブを複数備えるとともに、前記第１のリブの延出端部側に位置し、前記複数の第１のリブに跨って形成される第２のリブが一体に形成されている
ことを特徴とするコネクタ。
【発明の詳細な説明】
【技術分野】
【０００１】
本発明は、硬化する充填剤を用いて防水をするコネクタに関する。
【背景技術】
【０００２】
充填剤を用い、そして、この充填剤を硬化させることにより防水をするコネクタとしては、例えば下記特許文献１〜３に開示されている。開示技術によれば、コネクタを構成するコネクタハウジングには、充填剤を充填するための充填室が形成されている。この充填室に充填された充填剤は、この後に硬化し、そして、硬化した状態にあっては、電線を伝って電気的な接続部分まで水分等を浸入させないようにすることができるようになっている。
【先行技術文献】
【特許文献】
【０００３】
【特許文献１】特許第２７１３８４６号公報
【特許文献２】特開２００３−３１７８７６号公報
【特許文献３】特開２００６−１５６０５２号公報
【発明の概要】
【発明が解決しようとする課題】
【０００４】
充填剤を用いて防水をする従来のコネクタにおいて、充填剤は硬化するまでに多少の時間がかかることから、硬化するまでの間に次のようなことが生じてしまうという虞を有している。すなわち、充填室を大きく開口形成する必要があるような場合には、例えば作業者が誤って指を入れてしまうことが考えられ、その際に硬化前の充填剤に触れてしまうという虞を有している（例えば特許文献３に開示された充填室の場合が該当する）。従って、従来のコネクタにあっては、改善をする余地があると言える。尚、カバーを設けて充填室を覆うように改善をする場合、カバーで隠れて充填剤の硬化が完了したか否かを確認することができないことから、不十分な改善になってしまうと言える。
【０００５】
この他、従来のコネクタにあっては、充填剤が比較的高価である場合に、充填量が多くなればなるほどコスト高になってしまうという問題点を有している。
【０００６】
本発明は、上記した事情に鑑みてなされたもので、充填剤に触れないようにすることが可能なコネクタを提供することを課題とする。また、充填剤の充填量を少なくしてコスト低減を図ることが可能なコネクタを提供することを課題とする。
【課題を解決するための手段】
【０００７】
上記課題を解決するためになされた請求項１記載の本発明のコネクタは、電線の端末に設けられる端子金具と、該端子金具を収容する端子収容部を有するコネクタハウジングとを備えるとともに、該コネクタハウジングに形成され、上端を開口させた充填室に充填される充填剤にて防水をするコネクタにおいて、前記充填室は、前記開口から前記充填材を充填して、内部に収容した前記端子金具の電線接続部と該電線接続部に連続する電気接触部の連続部分とを少なくとも前記充填剤中に浸漬するように形成されており、前記充填室の前記開口端部に嵌合し且つ前記充填室から引き出される前記電線に係合するホルダーを備え、該ホルダーには、前記電線に係合する被覆係合部分と、前記電線接触部の延出方向に延び、前記充填室の前記開口を横切る第１のリブと、が一体に形成されており、前記第１のリブは、延出端部側において前記充填室の底側へ延出して前記連結部分又は前記電線接続部に当接可能な延出部と、該延出部と前記被覆係合部分との間に位置し、前記充填室の底側へ延出する充填材浸漬部分と、が一体に形成されていることを特徴とする。
【０００８】
このような特徴を有する本発明によれば、ホルダーに形成されるリブの存在によって、作業者の指が充填剤に触れてしまうことを避けることが可能になる。本発明によれば、リブであることから充填室の開口全体を覆うのではなく、結果、充填剤を臨むことができて硬化が完了したか否かを確認することが可能になる。本発明によれば、リブの一部が充填剤中に浸漬されるようになることから、この浸漬の分だけ充填剤の充填量を削減することが可能になる。また、本発明によれば、ホルダーをコネクタハウジングに嵌合させる際に、延出部が端子金具に当接すれば、端子金具が端子収容部に対して半嵌合状態であることが検知可能になる。さらに、本発明によれば、延出部の分だけ充填剤の充填量を削減することが可能になる。
【０００９】
請求項２記載の本発明のコネクタは、請求項１に記載のコネクタにおいて、前記ホルダーは、前記第１のリブを複数備えるとともに、前記第１のリブの延出端部側に位置し、前記複数の第１のリブに跨って形成される第２のリブが一体に形成されていることを特徴とする。
【発明の効果】
【００１１】
請求項１に記載された本発明によれば、充填剤に対し触手防止をすることができるという効果を奏する。また、本発明によれば、充填剤の充填量を少なくしてコスト低減を図ることができるという効果を奏する。
【００１２】
請求項１に記載された本発明によれば、端子金具の半嵌合検知をすることができるという効果を奏する。また、本発明によれば、充填剤の充填量をさらに少なくしてコスト低減に寄与することができるという効果をすする。
【図面の簡単な説明】
【００１３】
【図１】本発明のコネクタを示す断面図である。
【図２】図１のコネクタの斜視図である。
【図３】図１のコネクタの平面図である。
【図４】図１のホルダーの斜視図である。
【図５】図１のコネクタを含むワイヤハーネスの図である。
【発明を実施するための形態】
【００１４】
コネクタは、電線端末の端子金具と、この端子金具を収容する端子収容部を有するコネクタハウジングとを備える。コネクタは、コネクタハウジングの充填室に充填される充填剤にて防水が施される。コネクタは、コネクタハウジングに嵌合するとともに充填室から引き出される電線に係合するホルダーを更に備える。このホルダーには、充填室の開口を横切り且つ一部が充填剤中に浸漬されるリブを一体に形成する。
【実施例】
【００１５】
以下、図面を参照しながら実施例を説明する。図１は本発明のコネクタを示す断面図である。また、図２及び図３はコネクタの斜視図及び平面図、図４はホルダーの斜視図、図５は図１のコネクタを含むワイヤハーネスの図である。
【００１６】
図１において、引用符号１は本発明のコネクタを示している。コネクタ１は、本実施例において図５に示す如くのワイヤハーネス５１の一端に設けられている（ワイヤハーネス５１に関しては一例であるものとする）。図５において、ワイヤハーネス５１は、高圧用のものであって、３本の高圧電線２（図１参照）を有しており、この３本の高圧電線２は一括して編組５２にて覆われている。編組５２の外側には、コルゲートチューブ５３や筒部材５４やプロテクタ５５等の保護部材が設けられている。以下、コネクタ１について説明をする。
【００１７】
図１において、コネクタ１は、高圧用のコネクタであって、比較的大きなものに形成されている。コネクタ１は、各高圧電線２（電線）の端末に設けられる導電性の端子金具３と、絶縁性を有する樹脂製のコネクタハウジング４と、このコネクタハウジング４に嵌合する樹脂製のホルダー５と、例えば相手側筐体に固定される金属製の固定部６（図５参照）とを備えて構成されている。コネクタ１には、防水が施されている（防水に関しては後述する）。
【００１８】
端子金具３は、高圧電線２の端末が接続される電線接続部７と、相手端子（図示省略）に接触してこれに接続される電気接触部８とを有している。端子金具３は、電線接続部７と電気接触部８との連続部分９が略直角に折り曲げられてＬ字状となる形状に形成されている。電線接続部７は、高圧電線２の導体を加締めにより接続することができるように形成されている。電気接触部８の所定位置には、ボルト挿通孔１０が貫通形成されている。このボルト挿通孔１０と連続部分９との間には、コネクタハウジング４の後述する端子収容部１４に対する嵌合部（符号省略）が形成されている。嵌合部は、略爪状の小さな突起であって、複数形成されている。端子金具３は、嵌合部が端子収容部１４に対して嵌合することにより、抜けが防止されるようになっている。尚、嵌合部が端子収容部１４に対して完全に嵌合しない場合にあっては、半嵌合の状態になってしまうことになる。半嵌合状態は、抜け等の不具合の原因になってしまうと言える。本発明では、後述するが、半嵌合の状態を検知することができるようになっている。
【００１９】
図１ないし図３において、コネクタハウジング４は、射出成形により成形される樹脂成形品であって、図示しない相手側に対する相手側嵌合部１１と、防水を施す部分となる防水形成部１２と、これら相手側嵌合部１１及び防水形成部１２を連結するような連結部１３とを有して例えば図示のような形状に形成されている。相手側嵌合部１１は、この内部空間に端子金具３の電気接触部８を露出させることができるように形成されている。
【００２０】
相手側嵌合部１１と防水形成部１２との間となる連結部１３には、端子収容部１４が形成されている。端子収容部１４は、連結部１３の内部を貫通するように形成されている。端子収容部１４は、防水形成部１２の側から端子金具３の電気接触部８を挿通することができるように、また、端子金具３の嵌合部（符号省略）を引っ掛けて係止することができるように形成されている。
【００２１】
防水形成部１２は、上記の如く防水を施す部分であって、充填剤を充填するための充填室１５を有している。充填室１５は、図中矢印Ｐの方向を前後方向、矢印Ｑの方向を上下方向、矢印Ｒの方向を左右方向と定義すると、前壁１６と、左右の側壁１７と、この左右の側壁１７の間に位置する二つの隔壁１８とにより区画形成されている。防水形成部１２（充填室１５）は、後側と上側とを開口（開放）するように、また、底１９を有するように形成されている。前壁１６の近傍において、底１９には、端子収容部１４の一端が開口するようになっている。防水形成部１２（充填室１５）は、この上側の開口を介して端子金具３が収容・装着されるようになっている。上側の開口は、端子金具３の電線接続部７及び連続部分９の平面視形状に配慮して形成されている。
【００２２】
防水形成部１２の後側には、ホルダー嵌合部２０が形成されている。このホルダー嵌合部２０は、ホルダー５を嵌合させるための部分であって、ホルダー挿入部分２１と、ホルダー係止部分２２とを有している。ホルダー挿入部分２１は、ホルダー５の後述する被覆係合部分２８に対応するように形成されている。また、ホルダー係止部分２２は、略爪状の突起であって、ホルダー５の後述する係止アーム部分２９を引っ掛けて係止することができるように形成されている。ホルダー係止部分２２は、左右の側壁１７の外面に配置形成されている。
【００２３】
防水形成部１２は、上記の他に、ホルダー５の後述するリブ２６を係止するためのリブ係止部分２３を有している。リブ係止部分２３は、防水形成部１２の前側であって、左右の側壁１７及び二つの隔壁１８にそれぞれ形成されている。
【００２４】
図１ないし図４において、ホルダー５は、コネクタハウジング４と同様、射出成形により成形される樹脂成形品であって、コネクタハウジング４の防水形成部１２に嵌合し、且つ充填室１５から引き出される高圧電線２の被覆部分２４に係合するようなホルダー本体２５と、このホルダー本体２５に一体形成される複数のリブ２６と、複数のリブ２６に跨って形成される第二リブ２７とを有して図４に示す如くの形状に形成されている。
【００２５】
ホルダー本体２５は、コネクタハウジング４のホルダー挿入部分２１に挿入されて高圧電線２の被覆部分２４に係合する被覆係合部分２８と、コネクタハウジング４のホルダー係止部分２２に引っ掛かり係止される係止アーム部分２９とを有している。被覆係合部分２８は、高圧電線２の数に合わせて突出形成されている。被覆係合部分２８の先端には、高圧電線２の被覆部分２４に密着するような半円筒形状の押圧溝３０が形成されている。被覆係合部分２８及び押圧溝３０は、充填室１５に充填剤が充填されると、この充填剤の漏れを防止することができるように形成されている。係止アーム部分２９は、ホルダー本体２５の左右両側部となる位置に配置形成されている。係止アーム部分２９は、略枠状となるアーム形状に形成されている。
【００２６】
リブ２６は、充填室１５の上側の開口を横切るように、また、端子金具３の連続部分９（又は電線接続部７）に対応する位置まで延びるように配置形成されている。リブ２６は、作業者の指幅よりも側壁１７との間隔や、隔壁１８との間隔が狭くなるように配置形成されている。リブ２６は、作業者が誤って指を入れてしまうことを防止するために、また、充填室１５に充填された硬化前の充填剤に触れてしまうことを防止するために設けられている。リブ２６は、本実施例の形状の他に、例えば格子状に形成してもよいものとする。リブ２６は、本実施例において、この先端（自由端部）が防水形成部１２の前壁１６に支持されるように形成されている。
【００２７】
リブ２６は、この下側が充填剤浸漬部分３１（特許請求の範囲に記載したリブの一部に相当）として形成されている。充填剤浸漬部分３１は、充填室１５に充填された充填剤に浸漬される部分であって、浸漬の分だけ充填剤の充填量を低減することを目的に形成されている。このようなリブ２６の下側には、充填室１５の底１９側に延出するような延出部３２が一体形成されている。
【００２８】
延出部３２は、端子金具３の半嵌合検知をする部分として形成されている。延出部３２は、本実施例において、端子金具３の連続部分９に対応する位置に配置形成されている（電線接続部７に対応する位置であってもよいものとする）。延出部３２は、ホルダー５をコネクタハウジング４に嵌合させる際、仮に端子金具３に当接したとすれば、端子金具３が端子収容部１４に対して半嵌合状態であることが分かるような部分として形成されている。延出部３２は、充填剤浸漬部分３１よりも下方へ突出することから、この延出部３２の分だけ充填剤の充填量を削減することが可能になっている。
【００２９】
第二リブ２７は、複数のリブ２６の間隔を保つように形成されている。第二リブ２７には、コネクタハウジング４のリブ係止部分２３に係止される被係止部分３３が複数形成されている。
【００３０】
上記構成及び構造において、高圧電線２の端末の端子金具３をコネクタハウジング４に収容すると、防水形成部１２（充填室１５）の上側の開口からは端子金具３の連続部分９及び電線接続部７を臨むことができるような状態になる。また、この時、防水形成部１２（充填室１５）の後側の開口からは高圧電線２が引き出されるような状態になる。
【００３１】
コネクタハウジング４（防水形成部１２）に対しホルダー５を嵌合させると、高圧電線２にはホルダー５の被覆係合部分２８が係合し、これにより押さえ付けられる。ホルダー５がコネクタハウジング４に嵌合することにより、被覆係合部分２８は、防水形成部１２（充填室１５）の後側の開口を塞ぐようになる。また、ホルダー５の嵌合により、リブ２６が充填室１５の上側の開口を横切るような状態になる。
【００３２】
このような状態において、充填室１５に充填剤をディスペンサー等で充填すると、リブ２６の充填剤浸漬部分３１が充填剤に浸漬されるような状態になる（図１の仮想線Ａを充填剤とすれば、浸漬状態が分かる）。充填室１５に充填された充填剤（仮想線Ａ参照）は、これが硬化するまで多少時間を要するが、ホルダー５のリブ２６の存在によって、作業者の指が充填剤に触れてしまうような不都合はない。
【００３３】
ホルダー５は、充填室１５の上側の開口全体を覆うものではないことから、充填剤を臨むことができ、硬化が完了したか否かを確認することができる。
【００３４】
以上、図１ないし図５を参照しながら説明してきたように、本発明によれば、充填剤に対し触手防止をすることができるという効果を奏する。また、本発明によれば、充填剤の充填量を少なくしてコスト低減を図ることができるという効果を奏する。
【００３５】
本発明は本発明の主旨を変えない範囲で種々変更実施可能なことは勿論である。
【符号の説明】
【００３６】
１…コネクタ
２…高圧電線（電線）
３…端子金具
４…コネクタハウジング
５…ホルダー
６…固定部
７…電線接続部
８…電気接触部
９…連続部分
１０…ボルト挿通孔
１１…相手側嵌合部
１２…防水形成部
１３…連結部
１４…端子収容部
１５…充填室
１６…前壁
１７…側壁
１８…隔壁
１９…底
２０…ホルダー嵌合部
２１…ホルダー挿入部分
２２…ホルダー係止部分
２３…リブ係止部分
２４…被覆部分
２５…ホルダー本体
２６…リブ
２７…第二リブ
２８…被覆係合部分
２９…係止アーム部分
３０…押圧溝
３１…充填剤浸漬部分（リブの一部）
３２…延出部
３３…被係止部分
５１…ワイヤハーネス
Ａ…充填剤
【図１】
0005579490.tif 000002
【図２】
0005579490.tif 000003
【図３】
0005579490.tif 000004
【図４】
0005579490.tif 000005
【図５】
0005579490.tif 000006